(57)【要約】【課題】小型で携帯及び操作に便利であり、簡単に電子情報処理装置と組み合わせて使用できるプラグアンドプレイ型バーコードスキャナを提供すること。【解決手段】バーコードのスキャン機能を備えたバーコードスキャンモジュール１０１と、バーコードスキャンモジュール１０１に電気的に接続され、電子情報処理装置に接続してバーコードスキャンモジュール１０１が取得したバーコード情報を電子情報処理装置に伝送できる伝送インターフェイスモジュール１０２と、バーコードスキャンモジュール１０１に電気的に接続され、バーコードスキャンモジュール１０１のスキャン機能の作動操作を行なう操作キー１０１１とを含む。【選択図】図１
0003169218.tif 000002
【実用新案登録請求の範囲】
【請求項１】
電子情報処理装置に情報接続し、バーコードに対してスキャンを行うことができるプラグアンドプレイ型バーコードスキャナであって、
バーコードのスキャン機能を備えたバーコードスキャンモジュールと、
前記バーコードスキャンモジュールに電気的に接続され、前記電子情報処理装置に接続して前記バーコードスキャンモジュールが取得したバーコード情報を前記電子情報処理装置に伝送できる伝送インターフェイスモジュールと、
前記バーコードスキャンモジュールに電気的に接続され、該バーコードスキャンモジュールのスキャン機能の作動操作を行なう操作キーと、
を含むことを特徴とする、プラグアンドプレイ型バーコードスキャナ。
【請求項２】
前記バーコードスキャンモジュールが、光を発生する発光源、該光を通過させてバーコードに照射するレンズセット、及び、前記バーコードからの反射光を接受して光情報に変換する接受ユニットから成ることを特徴とする、請求項１に記載のプラグアンドプレイ型バーコードスキャナ。
【請求項３】
前記伝送インターフェイスモジュールがＵＳＢインターフェイスであることを特徴とする、請求項１に記載のプラグアンドプレイ型バーコードスキャナ。
【請求項４】
前記電子情報処理装置がコンピュータであることを特徴とする、請求項１に記載のプラグアンドプレイ型バーコードスキャナ。
【請求項５】
前記電子情報処理装置が携帯式通信装置であることを特徴とする、請求項１に記載のプラグアンドプレイ型バーコードスキャナ。
【請求項６】
前記伝送インターフェイスモジュールが着脱可能なキャップで被覆されたことを特徴とする、請求項１に記載のプラグアンドプレイ型バーコードスキャナ。
【請求項７】
前記バーコードスキャンモジュールと前記伝送インターフェイスモジュールとが、枢軸を介して相対的に回動可能に接続されていることを特徴とする、請求項１に記載のプラグアンドプレイ型バーコードスキャナ。
【考案の詳細な説明】
【技術分野】
【０００１】
本考案は、バーコードのスキャンを行う小型のプラグアンドプレイ型バーコードスキャナに関する。
【背景技術】
【０００２】
バーコードスキャナ（またはバーコードリーダーとも呼ばれる）は、例えば物流業の貨物管理やショッピングセンターの商品管理等、商業上非常に一般的に使用されており、すでにカタログ広告マーケティング、テレビショッピングマーケティング等のマーケティング分野でバーコードが続々と導入されつつある。
従来は、バーコードスキャナは多くが店舗側で使用されており、一般のエンドユーザである消費者がショッピングを完了する前に、店舗がバーコードスキャナを操作して商品の数量、費用等の統計を行い、最後に消費者がスキャンされた結果に基づいて支払いを行っていた。しかし、マーケティング市場の変化及び広告露出の利便性を考慮すると、バーコードの機能をより活性化して運用することができれば、消費市場全体に大きな変化を生むことができ、またそれがもたらす可能性のあるビジネスチャンスも無限である。
【０００３】
消費者の側からバーコード及びバーコードスキャナの応用と、派生する可能性のあるビジネスチャンスを考えたとき、市場全体の既成観念を覆すことにつながる。例えば、消費者が商品カタログを見ているときに、バーコードによって情報内容を統合し、携帯できて操作が簡便なバーコードスキャナを利用して商品のバーコードに対してスキャンを行うことで、迅速に商品の完全な情報を取得できるだけでなく、有効で完全な機制の下、即時に支払いを行うことも可能になる。
具体的には、エンドユーザである消費者が商品カタログを見ているときに買いたい商品が目に入ったら、バーコードスキャナを利用してカタログ中に提供されているバーコードをスキャンし、バーコードスキャナに接続された電子装置（例えばノートブックコンピュータ、モバイル通信端末等）によって取得したバーコード情報（商品規格、価格等の情報が含まれる）を同時にデコードすることができ、且つさらに金融関連の支払いシステムを組み合わせれば、消費者が完全な情報を取得した後すぐに支払いを行い、迅速に消費の過程を完了することが可能になる。
【０００４】
このような商業マーケティング概念は携帯式の電子装置の普及に伴い、すでに徐々に形を成してきているが、バーコードスキャナの使用は未だエンドユーザである消費者には普及していないため、商業マーケティングの一部にこの概念がすでにあるものの、実用上は組み合わせて使用するソフトウェア、ハードウェアが追いついていないために実現できずにいるのが現況である。
このため、バーコードをより効果的に幅広い消費市場で応用できるようにすること、すなわちバーコードスキャナの普及が重要な要素となる。
【考案の概要】
【考案が解決しようとする課題】
【０００５】
本考案が解決しようとする課題は、小型で携帯及び操作に便利であり、簡単に電子情報処理装置と組み合わせて使用できるプラグアンドプレイ型バーコードスキャナを提供することにある。
【課題を解決するための手段】
【０００６】
本考案のプラグアンドプレイ型バーコードスキャナは、バーコードのスキャン機能を備えたバーコードスキャンモジュールと、前記バーコードスキャンモジュールに電気的に接続され、前記電子情報処理装置に接続して前記バーコードスキャンモジュールが取得したバーコード情報を前記電子情報処理装置に伝送できる伝送インターフェイスモジュールと、前記バーコードスキャンモジュールに電気的に接続され、該バーコードスキャンモジュールのスキャン機能の作動操作を行なう操作キーとを含む。
【０００７】
以下の構成を採用することができる。
前記バーコードスキャンモジュールが、光を発生する発光源、該光を通過させてバーコードに照射するレンズセット、及び、前記バーコードからの反射光を接受して光情報に変換する接受ユニットから成る構成。
前記伝送インターフェイスモジュールがＵＳＢインターフェイスである構成。
前記電子情報処理装置がコンピュータである構成。
前記電子情報処理装置が携帯式通信装置である構成。
前記伝送インターフェイスモジュールが着脱可能なキャップで被覆された構成。
前記バーコードスキャンモジュールと前記伝送インターフェイスモジュールとが、枢軸を介して相対的に回動可能に接続されている構成。
【考案の効果】
【０００８】
本考案のプラグアンドプレイ型バーコードスキャナは、情報伝送インターフェイス（ＵＳＢなど）を組み合わせ、簡易且つ迅速に電子情報処理装置と接続することができ、大幅に製造コストを節約きるだけでなく、販売価格を抑えることが可能になり、小型で嵩張らない。
【図面の簡単な説明】
【０００９】
【図１】実施例１を示すプラグアンドプレイ型バーコードスキャナの斜視図である。
【図２】実施例１を示すプラグアンドプレイ型バーコードスキャナの一部を透視した斜視図である。
【図３】実施例１に係るプラグアンドプレイ型バーコードスキャナ及び伝送ケーブルの斜視図である。
【図４】実施例１に係るプラグアンドプレイ型バーコードスキャナの使用状態における斜視図である。
【図５】実施例１に係るプラグアンドプレイ型バーコードスキャナ及び電子情報処理装置の斜視図である。
【図６】実施例２を示すプラグアンドプレイ型バーコードスキャナの斜視図である。
【図７】実施例３を示すプラグアンドプレイ型バーコードスキャナの平面図である。
【図８】実施例３に係るプラグアンドプレイ型バーコードスキャナ及び電子情報処理装置の平面図である。
【考案を実施するための形態】
【００１０】
以下、本考案の実施例を図面に基づいて詳細に説明する。
図１〜図５は本考案の実施例１を示す。
図１に示すように、本考案のプラグアンドプレイ型バーコードスキャナ１０は、バーコードスキャンモジュール１０１及び伝送インターフェイスモジュール１０２を備える。
バーコードスキャンモジュール１０１は、少なくとも１つの操作キー１０１１を有する。また、伝送インターフェイスモジュール１０２は、バーコードスキャンモジュール１０１の一端に設置され、任意の伝送インターフェイス（例えばＵＳＢ伝送インターフェイス）と接続することができる。
従って、まず伝送インターフェイスモジュール１０２を対応する電子情報処理装置（ノートブックコンピュータ、携帯式通信装置等）に接続して、プラグアンドプレイ型バーコードスキャナ１０と電子情報処理装置との相互接続を完了させ、さらに操作キー１０１１を操作して、バーコードスキャンモジュール１０１を作動させ、バーコードに対しスキャンを行うことができる。
【００１１】
図２に示すように、バーコードスキャンモジュール１０１は、小型に形成され、光Ｌ１を発生することができる発光源１０１２を備え、スキャン時に、前端に設置されたレンズセット１０１３を通して、バーコードＢ１（図４参照）に光Ｌ１を照射することができる。
また、バーコードスキャンモジュール１０１は、光Ｌ１をバーコードＢ１に照射した後に発生する反射光Ｌ２を接受して、接受した反射光Ｌ２を光情報に変換する接受ユニット１０１４を備え、伝送インターフェイスモジュール１０２から電子情報処理装置（図示しない）に光情報を伝送して、デコードプロセスを行わせることができる。また、デコード機能は直接接受ユニット１０１４に設置して、光情報を直接デコードしてから電子情報処理装置に伝送してもよい。
【００１２】
プラグアンドプレイ型バーコードスキャナ１０は、伝送インターフェイスモジュール１０２を介して電子情報処理装置と情報接続するが、図３のように互換性のある伝送規格の伝送ケーブル２０を使用して電子情報処理装置と情報接続することができる。また、電子情報処理装置は型式に制限はなく、コンピュータ、携帯式モバイル通信端末等であって、プラグアンドプレイ型バーコードスキャナ１０と接続できるアプリケーションプログラムをインストールできるものとする。つまり、プラグアンドプレイ型バーコードスキャナ１０の作動時、スキャンで得られたバーコード情報を接続された電子情報処理装置から読み出す、またはスキャンの結果を表示できるようにする。
【００１３】
図４に示すように、伝送ケーブル２０でプラグアンドプレイ型バーコードスキャナ１０と電子情報処理装置との情報接続を完了した後、操作者はプラグアンドプレイ型バーコードスキャナ１０を手に持ってバーコードスキャンの作業を行うことができる。操作者がバーコードスキャンの作業を行いたいときは、ただ操作キー１０１１を押すだけでバーコードスキャンモジュール１０１を作動させ、光Ｌ１を発生させてバーコードＢ１に対しスキャンを行い、且つスキャン時に生成された反射光Ｌ２がバーコードスキャンモジュール１０１の接受ユニット１０１４（図２参照）に接受され、デコードが行われる。
【００１４】
図５に示すように、電子情報処理装置３０は、一端にプラグアンドプレイ型バーコードスキャナ１０の伝送インターフェイスモジュール１０２と同じ伝送規格の接続装置を備え、これにより、プラグアンドプレイ型バーコードスキャナ１０を電子情報処理装置３０に直接差し込むことができる。
また、電子情報処理装置３０のシステム中には、プラグアンドプレイ型バーコードスキャナ１０を作動させるアプリケーションプログラムがインストールされており、プラグアンドプレイ型バーコードスキャナ１０を直接取り付けた後、アプリケーションプログラムによる駆動で電子情報処理装置３０と情報接続することができる。このため、使用者は電子情報処理装置３０を手に持って、プラグアンドプレイ型バーコードスキャナ１０を利用してバーコードＢ１（図４参照）に対しスキャンを行うことができる。
【００１５】
図６は、本考案の実施例２を示す。
実施例２のプラグアンドプレイ型バーコードスキャナ１０は、伝送インターフェイスモジュール１０２を被覆するための着脱可能なキャップ１０３を備えており、伝送インターフェイスモジュール１０２を効果的に保護することができる。
【００１６】
図７及び図８は本考案の実施例３を示す。
図７に示すように、プラグアンドプレイ型バーコードスキャナ４０は、バーコードスキャンモジュール４０１と伝送インターフェイスモジュール４０２から成る。バーコードスキャンモジュール４０１と伝送インターフェイスモジュール４０２とはそれぞれ独立しており、両者間は電気接続ケーブルを介して電気的に接続されると共に、枢軸４０３を介して回動可能に接続され、両者を適切な角度に相互に回転させることができるようになっている。
図８に示すように、プラグアンドプレイ型バーコードスキャナ４０と電子情報処理装置５０とを情報接続した後、操作者がバーコードスキャンの作業を行うことができる。また、本実施例では、操作者が必要に応じて、バーコードスキャンモジュール４０１を揺動させて電子情報処理装置５０に対して適切な角度とし、操作時に最良のスキャン角度でバーコードスキャン作業を行えるようにすることができる。
【００１７】
本考案では、小型化したバーコードスキャンモジュールに伝送インターフェイスモジュールを組み合わせて、携帯に便利にすると共に、伝送インターフェイスモジュールと普及している電子情報処理装置を情報接続し、コストを抑えるだけでなく、且つ使用時の複雑さを軽減することができる。これにより、携帯と操作に便利で、電子情報処理装置と組み合わせて使用でき、プラグアンドプレイ機能を備えたプラグアンドプレイ型バーコードスキャナを提供するという目的を達することができる。本考案はバーコードの使用を迅速に一般的な商業的応用の市場に普及させるために有益である。
【００１８】
以上の説明は、本考案の最良の実施例に基づくものであり、本考案の権利範囲を限定するものではない。当業者が本考案の要旨を逸脱せずに行った同等の変化と修飾はすべて、本考案の権利範囲に含まれる。
【符号の説明】
【００１９】
１０  プラグアンドプレイ型バーコードスキャナ
１０１  バーコードスキャンモジュール
１０２  伝送インターフェイスモジュール
１０１１  操作キー
１０１２  発光源
１０１３  レンズセット
１０１４  接受ユニット
１０３  キャップ
２０  伝送ケーブル
３０  電子情報処理装置
４０  プラグアンドプレイ型バーコードスキャナ
４０１  バーコードスキャンモジュール
４０２  伝送インターフェイスモジュール
４０３  枢軸
５０  電子情報処理装置
Ｌ１  光
Ｌ２  反射光
Ｂ１  バーコード
【図１】
0003169218.tif 000003
【図２】
0003169218.tif 000004
【図３】
0003169218.tif 000005
【図４】
0003169218.tif 000006
【図５】
0003169218.tif 000007
【図６】
0003169218.tif 000008
【図７】
0003169218.tif 000009
【図８】
0003169218.tif 000010